(57)【要約】クライアント端末ＣＴから送信される楽曲情報の取得要求を特定の時間間隔で連続的に受信し、取得要求に対応する楽曲情報と共に、クライアント端末ＣＴが次に取得要求を送信するタイミングを指定するためのタイミング指定情報をクライアント端末ＣＴへ送信して取得要求のポーリング間隔を制御することにより、特定の時間間隔で取得要求を送信するものと、タイミング指定情報に応じて取得要求を受信するものとに分散することができるので、関連情報提供サーバＫＳに取得要求が集中することを簡易な方法で回避することができる。
2005006606.tif 000002
【特許請求の範囲】
【請求項１】
外部装置から送信される、当該外部装置により受信中の番組に関する関連情報を要求する要求情報を特定の時間間隔で連続的に受信する要求情報受信ステップと、
上記要求情報に対応する関連情報と共に、上記外部装置が次に上記要求情報を送信するタイミングを指定するためのタイミング指定情報を上記外部装置へ送信することにより上記要求情報のポーリング間隔を制御する制御ステップと
を具えることを特徴とする通信方法。
【請求項２】
上記制御ステップでは、上記外部装置が次に上記要求情報を送信するまでの遅延時間を上記タイミング指定情報として上記外部装置へ送信する
ことを特徴とする請求の範囲第１項に記載の通信方法。
【請求項３】
上記制御ステップでは、上記外部装置が次に上記要求情報を送信する時刻を上記タイミング指定情報として上記外部装置へ送信する
ことを特徴とする請求の範囲第１項に記載の通信方法。
【請求項４】
放送中の番組に関連する関連情報を記憶手段に順次記憶する記憶ステップを具え、
上記要求情報受信ステップでは、上記番組を受信する上記外部装置から上記関連情報を要求するための上記要求情報を特定の時間間隔で連続的に受信し、
上記制御ステップでは、上記要求情報に対応する関連情報と共に、上記外部装置が次に上記要求情報を送信するタイミングを指定するためのタイミング指定情報として、上記関連情報が切り換わるときを示す切換タイミングを上記外部装置へ送信することにより上記要求情報のポーリング間隔を制御する
ことを特徴とする請求の範囲第１項に記載の通信方法。
【請求項５】
上記要求情報受信ステップにおいて、上記関連情報を提供するサーバが、上記外部装置から送信される要求情報と、上記サーバとのセッションＩＤであるサービスセッションＩＤとを受信し、
上記サーバが、上記サービスセッションＩＤにより認証処理を行い、認証エラーのとき、認証エラーを示す情報と当該サーバを識別するサービス識別情報とを上記外部装置に送信し、
認証サーバが、上記外部装置から、上記サーバへアクセスするための認証チケットの発行を要求する認証チケット発行要求情報を、当該認証サーバとのセッションＩＤである認証セッションＩＤと共に受信し、
上記認証サーバが、上記認証セッションＩＤを認証処理し、認証を許可するとき、認証チケットを発行すると共に上記外部装置に送信し、
上記サーバは、上記外部装置から送信された認証チケットを受信すると共に認証サーバに送信し、
上記認証サーバは上記認証チケットが正当であると認証したとき認証許可を示す情報を上記サーバに送信し、
上記サーバは、上記認証許可を示す情報を受信すると、上記外部装置とのセッションＩＤであるサービスセッションＩＤを発行すると共に上記外部装置に送信し、
上記サーバは、上記外部装置から、上記要求情報を、上記サービスセッションＩＤと共に受信し、
上記サーバは、上記サービスセッションＩＤにより認証処理を行い、認証を許可するとき、上記要求情報に応じた関連情報を上記外部装置に対して送信する
ことを特徴とする請求の範囲第１項に記載の通信方法。
【請求項６】
上記認証サーバが、上記認証セッションＩＤを認証処理し、認証エラーのとき、認証エラーを示す情報を上記外部装置に送信し、
上記認証サーバは、上記外部装置から送信される上記ユーザＩＤとパスワードとに基づいて認証処理し、認証を許可するとき、認証サーバとのセッションＩＤである認証セッションＩＤを発行すると共に上記外部装置に送信し、
その後上記認証サーバは、上記外部装置から、上記認証チケット発行要求情報を、上記認証セッションＩＤと共に受信する
ことを特徴とする請求の範囲第５項に記載の通信方法。
【請求項７】
受信中の番組に関連する関連情報を要求する要求情報をサーバへ送信する送信ステップと、
上記サーバから、上記要求情報に対応する関連情報と、次に上記要求情報を送信するタイミングを指定するためのタイミング指定情報とを受信するタイミング指定情報受信ステップと、
上記タイミング指定情報に従って上記要求情報を送信するタイミングを決定するタイミング決定ステップと
を具えることを特徴とする通信方法。
【請求項８】
外部装置から送信される、当該外部装置により受信中の番組に関する関連情報を要求する要求情報を特定の時間間隔で連続的に受信する要求情報受信手段と、
上記要求情報に対応する関連情報と共に、上記外部装置が次に上記要求情報を送信するタイミングを指定するためのタイミング指定情報を上記外部装置へ送信することにより上記要求情報のポーリング間隔を制御する制御手段と
を具えることを特徴とするサーバ。
【請求項９】
所定のサーバに対して所望の情報を要求する通信装置であって、
受信中の番組に関連する関連情報を要求する要求情報を上記サーバへ送信する要求情報送信手段と、
上記サーバから、上記要求情報に対応する関連情報と、次に上記要求情報を送信するタイミングを指定するためのタイミング指定情報とを受信するタイミング指定情報受信手段と、
上記タイミング指定情報に従って上記要求情報を送信するタイミングを決定するタイミング決定手段と
を具えることを特徴とする通信装置。
【請求項１０】
情報処理装置に対して、
外部装置から送信される、当該外部装置により受信中の番組に関する関連情報を要求する要求情報を特定の時間間隔で連続的に受信する要求情報受信ステップと、
上記要求情報に対応する関連情報と共に、上記外部装置が次に上記要求情報を送信するタイミングを指定するためのタイミング指定情報を上記外部装置へ送信することにより上記要求情報のポーリング間隔を制御する制御ステップと
を実行させることを特徴とする通信制御プログラム。
【請求項１１】
情報処理装置に対して、
受信中の番組に関連する関連情報を要求する要求情報をサーバへ送信する送信ステップと、
上記サーバから、上記要求情報に対応する関連情報と、次に上記要求情報を送信するタイミングを指定するためのタイミング指定情報とを受信するタイミング指定情報受信ステップと、
上記タイミング指定情報に従って上記要求情報を送信するタイミングを決定するタイミング決定ステップと
を実行させることを特徴とする通信制御プログラム。
【発明の詳細な説明】
【技術分野】  本発明は、通信方法に関し、例えばラジオ番組の中で放送された楽曲に関連したタイトル及びアーティスト名等の関連情報をクライアント端末からサーバに要求して取得する際のポーリング間隔を制御する場合に適用して好適なものである。
【背景技術】  従来、いわゆるセットオーディオや単品コンポ等のオーディオステレオ再生システムや、ポータブルオーディオシステム、自動車に取り付けられたオーディオシステム等のラジオ受信機では、ラジオ局から放送される放送信号を受信して復調することにより、番組や楽曲をユーザに聴取させるようになされている。
一方、ラジオ局ではインターネットのホームページ上で各ラジオ局の番組に関する各種情報を公開しており、視聴者に対して例えば放送信号を送信すると同時に、例えば放送した楽曲のタイトル、アーティスト名、当該楽曲が収録されているＣＤの名称やＣＤ番号等の楽曲情報を関連情報（以下、これをラジオ放送情報とも呼ぶ）として提供する。
このようにラジオ番組の聴取及び楽曲情報の取得を１台のシステムで同時に行うものとして、ラジオ受信機能及びインターネット接続機能を備えたクライアント端末としてのオーディオ再生装置が提案されている。
このオーディオ再生装置では、ユーザが当該オーディオ再生装置を介してラジオ番組を聴取しながら、そのラジオ番組の中で放送された楽曲に関連したタイトル、アーティスト名等の楽曲情報を所定の関連情報提供サーバから取得し得るようになされている。
このときオーディオ再生装置では、ラジオ局から受信した楽曲をハードディスクにクリッピングし得るようになされており、また関連情報提供サーバから取得した当該楽曲の楽曲情報についてもハードディスクにクリッピングするようになされている。
一方、家庭用ゲーム装置においては、ゲームコンテンツサーバからゲームコンテンツをネットワーク経由でダウンロードすることができるようになされており、例えば発売開始日には多数の家庭用ゲーム装置から当該ゲームコンテンツのデータ要求情報がゲームコンテンツサーバに集中することになる。
このためゲームコンテンツサーバでは、システム側の設定又はユーザ側の希望によって予め配信スケジュールを定めるようになされており、これにより家庭用ゲーム装置はその配信スケジュールに従ってゲームコンテンツのデータ要求情報をゲームコンテンツサーバに対して送信するようになされている（例えば、特許文献１参照）。
【特許文献１】特開２００２−２０２９２７。
ところで上述のような特許文献１に示した方法を用いると、複数のオーディオ再生装置から楽曲情報を取得するための取得要求が関連情報提供サーバに対して一斉に行われた場合、関連情報提供サーバが多数のオーディオ再生装置を対象に煩雑な配信スケジュール管理を行わなければならず、当該関連情報提供サーバにとっては負荷が過大になるという問題があった。
【発明の開示】
本発明は以上の点を考慮してなされたもので、サーバ側に対して負荷の重い煩雑なスケジュール管理を行わせることなく、データ要求情報が集中することを回避してネットワーク上のトラフィックが過多にならないように簡易に制御し得る通信方法を提案しようとするものである。
かかる課題を解決するため本発明の通信方法においては、外部装置から送信される、当該外部装置により受信中の番組に関する関連情報を要求する要求情報を特定の時間間隔で連続的に受信する要求情報受信ステップと、要求情報に対応する関連情報と共に、外部装置が次に要求情報を送信するタイミングを指定するためのタイミング指定情報を外部装置へ送信することにより要求情報のポーリング間隔を制御する制御ステップとを設けるようにする。
これにより、特定の時間間隔で要求情報を受信するものと、タイミング指定情報に応じたタイミングで要求情報を受信するものとに分散することができるので、外部装置から要求情報が集中することを簡易な方法で回避することができる。
また本発明の通信方法においては、受信中の番組に関連する関連情報を要求する要求情報をサーバへ送信する送信ステップと、サーバから、要求情報に対応する関連情報と、次に要求情報を送信するタイミングを指定するためのタイミング指定情報とを受信するタイミング指定情報受信ステップと、タイミング指定情報に従って要求情報を送信するタイミングを決定するタイミング決定ステップとを設けるようにする。
これにより、サーバにとって要求情報が集中することのないタイミングで要求情報を送信することになるので、トラフィックが過多になることのない状態で所望の関連情報をサーバから速やかに取得することができる。
さらに本発明のサーバにおいては、外部装置から送信される、当該外部装置により受信中の番組に関する関連情報を要求する要求情報を特定の時間間隔で連続的に受信する要求情報受信手段と、要求情報に対応する関連情報と共に、外部装置が次に要求情報を送信するタイミングを指定するためのタイミング指定情報を外部装置へ送信することにより要求情報のポーリング間隔を制御する制御手段とを設けるようにする。
これにより、特定の時間間隔で要求情報を受信するものと、タイミング指定情報に応じたタイミングで要求情報を受信するものとに分散することができるので、外部装置から要求情報が集中することを簡易な方法で回避することができる。
さらに本発明の外部装置においては、所定のサーバに対して所望の情報を要求する通信装置であって、受信中の番組に関連する関連情報を要求する要求情報をサーバへ送信する送信手段と、サーバから、要求情報に対応する関連情報と、次に要求情報を送信するタイミングを指定するためのタイミング指定情報とを受信するタイミング指定情報受信手段と、タイミング指定情報に従って要求情報を送信するタイミングを決定するタイミング決定手段とを設けるようにする。
これにより通信装置は、サーバにとって要求情報が集中することのないタイミングで要求情報を送信することになるので、トラフィックが過多になることのない状態で所望の関連情報をサーバから速やかに取得することができる。
さらに本発明の通信制御プログラムにおいては、情報処理装置に対して、外部装置から送信される、当該外部装置により受信中の番組に関する関連情報を要求する要求情報を特定の時間間隔で連続的に受信する要求情報受信ステップと、要求情報に対応する関連情報と共に、外部装置が次に要求情報を送信するタイミングを指定するためのタイミング指定情報を外部装置へ送信することにより要求情報のポーリング間隔を制御する制御ステップとを実行させるようにする。
これにより、特定の時間間隔で要求情報を受信するものと、タイミング指定情報に応じたタイミングで要求情報を受信するものとに分散することができるので、外部装置から要求情報が集中することを簡易な方法で回避することができる。
さらに本発明においては、情報処理装置に対して、受信中の番組に関連する関連情報を要求する要求情報をサーバへ送信する送信ステップと、サーバから、要求情報に対応する関連情報と、次に要求情報を送信するタイミングを指定するためのタイミング指定情報とを受信するタイミング指定情報受信ステップと、タイミング指定情報に従って要求情報を送信するタイミングを決定するタイミング決定ステップとを実行させるようにする。
これにより、サーバにとって要求情報が集中することのないタイミングで要求情報を送信することになるので、トラフィックが過多になることのない状態で所望の関連情報をサーバから速やかに取得することができる。
本発明によれば、特定の時間間隔で要求情報を受信するものと、タイミング指定情報に応じたタイミングで要求情報を受信するものとに分散することができるので、外部装置から要求情報が集中することを簡易な方法で回避することができ、かくしてサーバ側に対して負荷の重い煩雑なスケジュール管理を行わせることなく、要求情報が集中することを回避してネットワーク上のトラフィックが過多にならないように簡易に制御し得る通信方法、サーバ、外部装置及び通信制御プログラムを実現できる。
【図面の簡単な説明】  図１は、本発明の第１の実施の形態における情報提供システムの全体構成を示す略線図である。
図２は、ラジオ局の構成を示す略線的ブロック図である。
図３は、ＵＲＬ提供サーバの構成を示す略線的ブロック図である。
図４は、関連情報提供サーバの構成を示す略線的ブロック図である。
図５は、クライアント端末の回路構成を示す略線的ブロック図である。
図６は、コンテンツのディレクトリ管理の説明に供する略線図である。
図７は、クライアント端末のプログラムモジュールを示す略線図である。
図８は、遅延時間を指定したポーリング間隔制御シーケンスを示す略線図である。
図９は、負荷とポーリング間隔との関係を示す略線図である。
図１０は、時刻を指定したポーリング間隔制御シーケンスを示す略線図である。
図１１は、負荷とポーリング間隔の分散性との関係を示す略線図である。
図１２は、第２の実施の形態による音楽関連サービス提供システムの全体構成を示す略線図である。
図１３は、クライアント端末の機能回路ブロックによるハードウェア構成を示すブロック図である。
図１４は、ポータルサーバの機能回路ブロックによるハードウェア構成を示すブロック図である。
図１５は、音楽データ配信サーバの機能回路ブロックによるハードウェア構成を示すブロック図である。
図１６は、物販サーバの機能回路ブロックによるハードウェア構成を示すブロック図である。
図１７は、ラジオ放送情報配信サーバの機能回路ブロックによるハードウェア構成を示すブロック図である。
図１８は、クライアント端末及びポータルサーバ間のユーザ認証処理手順を示すシーケンスチャートである。
図１９は、クライアント端末及び音楽データ配信サーバ間のユーザ認証処理手順を示すシーケンスチャートである。
図２０は、音楽データ配信サービス提供処理手順を示すシーケンスチャートである。
図２１は、物販サービス提供処理手順を示すシーケンスチャートである。
図２２は、ラジオ放送情報（オンエアリスト情報）配信サービス提供処理手順（１）を示すシーケンスチャートである。
図２３は、ラジオ放送情報（ナウオンエア情報）配信サービス提供処理手順（２）を示すシーケンスチャートである。
【符号の説明】
１……情報提供システム、２……インターネット、３……ＵＲＬ提供サーバ、１００２……クライアント端末、１００３……ポータルサーバ、１００６……ラジオ放送情報配信サーバ、ＲＳ……ラジオ局、ＫＳ……関連情報提供サーバ
【発明を実施するための最良の形態】  以下、図面について、本発明の実施の形態を詳述する。
（１）第１の実施の形態
（１−１）情報提供システムの全体構成
図１に示すように、１は全体として本発明を構成する情報提供システムを示し、複数のクライアント端末ＣＴはラジオ局ＲＳからの放送を受信するようになされている。
情報提供システム１では、当該ラジオ局ＲＳと専用線接続されたコンピュータ構成の関連情報提供サーバＫＳがラジオ局ＲＳに代わって当該ラジオ局ＲＳのホームページを開設しており、複数のクライアント端末ＣＴからの取得要求に応じて当該ラジオ局ＲＳで放送した楽曲に関連する楽曲情報を関連情報としてインターネット等のネットワーク２を介して提供し得るようになされている。
また情報提供システム１では、関連情報提供サーバＫＳがホームページ等を介して行っている情報提供サービスのアクセス先を示すＵＲＬ（Ｕｎｉｆｏｒｍ  Ｒｅｓｏｕｒｃｅ  Ｌｏｃａｔｏｒ）情報をコンピュータ構成のＵＲＬ提供サーバ３へ通知するようになされている。
従ってＵＲＬ提供サーバ３は、情報提供サービスのアクセス先を示すＵＲＬの変更があった場合でも関連情報提供サーバＫＳからの通知によって変更後のＵＲＬを管理しており、クライアント端末ＣＴからラジオ局ＲＳの情報提供サービスへのアクセス先の問い合わせに対して最新のＵＲＬを常時提供し得るようになされている。
ここでラジオ放送は、受信可能な地域が制限されるために、同じ周波数を複数の地域で共通に用いている場合がある。例えば８０．０ＭＨｚは、首都圏ではＦＭ東京が使用しており、東北地方ではＦＭ青森が使用している。
従ってクライアント端末ＣＴでは、ＵＲＬ提供サーバ３に対して周波数を特定しただけではラジオ局ＲＳを特定したことにはならず、当該ラジオ局ＲＳを特定するためのコールサインと呼ばれる固有の情報をＵＲＬ提供サーバ３へ通知することにより、当該ラジオ局ＲＳの情報提供サービスに対するアクセス先を示すＵＲＬをＵＲＬ提供サーバ３から間違いなく受け取ることができるようになされている。
（１−２）ラジオ局ＲＳの構成
図２に示すようにラジオ局ＲＳは、ＣＰＵ（Ｃｅｎｔｒａｌ  Ｐｒｏｃｅ−ｓｓｉｎｇ  Ｕｎｉｔ）でなる制御部７０がＲＯＭ（Ｒｅａｄ  Ｏｎｌｙ  Ｍｅｍｏｒｙ）７１及びＲＡＭ７２（Ｒａｎｄｏｍ  Ａｃｃｅｓｓ  Ｍｅｍｏ−ｒｙ）を介して起動したＯＳ（Ｏｐｅｒａｔｉｎｇ  Ｓｙｓｔｅｍ）等の基本プログラム及び各種アプリケーションプログラムに基づいて全体を統括制御し、番組送出部７３からアンテナ７４を介して複数のクライアント端末ＣＴへ番組を放送する番組放送処理等を行うようになされている。
またラジオ局ＲＳは、コンテンツデータベース７４に番組の中で放送する楽曲のコンテンツや予め収録しておいた番組のコンテンツを多数所有しており、当該番組を番組表に従って放送したり、その番組の中で必要に応じて楽曲のコンテンツを放送する。
そのときラジオ局ＲＳは、番組の中で楽曲を放送した旨をデータ通信処理部７６を介して関連情報提供サーバＫＳへ通知したり、また現在どの番組を放送しているのかを関連情報提供サーバＫＳへ通知するようになされている。
（１−３）ＵＲＬ提供サーバの構成
図３に示すようにＵＲＬ提供サーバ３は、ＣＰＵでなる制御部７０がＲＯＭ８１及びＲＡＭ８２を介して起動したＯＳ等の基本プログラム及び各種アプリケーションプログラムに基づいて全体の制御や所定の演算処理等を行うようになされている。
このＵＲＬ提供サーバ３は、クライアント端末ＣＴからのコールサインを受けて、当該コールサインに対応したラジオ局ＲＳが情報提供サービスとして開設するホームページのＵＲＬをＵＲＬ蓄積データベース８３の中から探し出し、データ通信処理部８４を介してクライアント端末ＣＴへ送り返すようになされている。
（１−４）関連情報提供サーバの構成
図４に示すように関連情報提供サーバＫＳは、ＣＰＵでなる制御部９０がＲＯＭ９１及びＲＡＭ９２を介して起動したＯＳ等の基本プログラム及び各種アプリケーションプログラムに基づいて全体の制御や所定の演算処理等を行うようになされている。
この関連情報提供サーバＫＳは、例えばラジオ局ＲＳによって番組の中で放送された楽曲の楽曲情報を楽曲情報データベース９３から探し出し、これを関連情報としてデータ通信処理部９５を介して複数のクライアント端末ＣＴへ提供するようになされている。
また関連情報提供サーバＫＳは、ラジオ局ＲＳによって放送された番組に関連する例えば出演者、ＤＪ名、ジャンル等の番組情報を番組情報データベース９４から探し出し、これを関連情報としてデータ通信処理部９５を介して複数のクライアント端末ＣＴへ提供するようになされている。
（１−５）クライアント端末ＣＴの回路構成
図５に示すようにクライアント端末ＣＴのＣＰＵ１１は、バス１２を介して接続されたＲＯＭ１３から読み出してＲＡＭ２０に展開したＯＳ等の基本プログラム及び各種アプリケーションプログラムに基づき全体の制御や所定の演算処理等を行うようになされており、例えばネットワーク２を介した通信動作、ユーザからの入出力操作、メディアからのコンテンツ再生やラジオ局ＲＳからダウンロードしたコンテンツのハードディスクドライブ（ＨＤＤ）２１への書き込み及びその管理等を実行する。
操作入力部１５は、本体部の筐体表面やリモートコントローラ（図示せず）の各種操作子に対するユーザの操作に応じた入力情報を入力処理部１４へ送出し、当該入力処理部１４で所定の処理を施した後に操作コマンドとしてＣＰＵ１１へ送出し、当該ＣＰＵ１１で操作コマンドに応じた処理を実行するようになされている。
ディスプレイ１７は、例えば液晶ディスプレイ等の表示デバイスが本体部の筐体表面に直接取り付けられている場合や、外付けの表示デバイスであってもよく、ＣＰＵ１１による処理結果や各種情報を表示するようになされている。
メディアドライブ１９は、例えばＣＤ（Ｃｏｍｐａｃｔ  Ｄｉｓｃ）や、フラッシュメモリ等でなるメモリースティック（登録商標）を再生するドライブであって、再生結果をオーディオデータ処理部２４を介してディジタルアナログ変換処理した後に２ｃｈのスピーカ２５から出力するようになされている。
なおＣＰＵ１１は、メディアドライブ１９を介して再生したデータが楽曲のオーディオコンテンツである場合、オーディオデータファイルとしてハードディスクドライブ２１に記憶することも可能である。
さらにＣＰＵ１１は、メディアドライブ１９によってメモリスティックに記憶された複数枚の静止画を読み出し、これらを表示処理部１６を介してディスプレイ１７にスライドショーとして表示することもできる。
またＣＰＵ１１は、ハードディスクドライブ２１に記憶した複数の楽曲をランダムアクセスで読み出し、あたかもジュークボックスのようにユーザ所望の順番で再生して出力することも可能である。
チューナ部２７は、例えばＡＭ、ＦＭラジオチューナであって、ＣＰＵ１１の制御に基づいてアンテナ２６で受信した放送信号を復調し、その結果を放送音声としてオーディオデータ処理部２４を介してスピーカ２５から出力する。
通信処理部２２は、ＣＰＵ１１の制御に基づいて送信データのエンコード処理を行い、ネットワークインタフェース２３を介してネットワーク２経由で外部のネットワーク対応機器へ送信したり、当該ネットワークインタフェース２３を介して外部のネットワーク対応機器から受信した受信データのデコード処理を行い、ＣＰＵ１１へ転送するようになされている。
（１−６）コンテンツのディレクトリ管理
クライアント端末ＣＴのＣＰＵ１１は、ハードディスクドライブ２１に対して記憶するコンテンツを、図６に示すディレクトリ構成で管理するようになされている。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザなどに対応して作成されるようになされている。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトルごとに対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツについてのディレクトリ管理は、ハードディスクドライブ２１に記憶されているデータベースファイルによって行われるようになされている。
（１−７）クライアント端末ＣＴのプログラムモジュール構成
図７に示すようにクライアント端末ＣＴのプログラムモジュールとしては、ＯＳ上で動作するようになされており、具体的にはＣＤの物販を行うＣＤ販売業者サーバ３１、インターネットラジオサーバ３２、音楽配信運営サーバ３３、総合サービスサーバ３４、関連情報提供サーバＫＳ他の各種サーバとの間でやりとりを行う。
ＨＴＴＰ（Ｈｙｐｅｒ  Ｔｅｘｔ  Ｔｒａｎｓｆｅｒ  Ｐｒｏｔｏｃｏｌ）メッセージプログラムは、ＣＤ販売業者サーバ３１や、各種総合サービスを行う総合サービスサーバ３４及び関連情報提供サーバＫＳ等の各種サーバとの間のやりとりをＨＴＴＰ通信で行うものであり、エニィコミュニケータプログラム３７は、総合サービスサーバ３４等と各種通信を行う通信モジュールである。
エニィコミュニケータプログラム３７の上位には、コンテンツのコーデックを解釈して再生するコンテンツ再生モジュール３８、著作権保護に関する情報を取り扱う著作権保護情報管理モジュール３９が位置し、そのコンテンツ再生モジュール３８、著作権保護情報管理モジュール３９に対してインターネットラジオの選局及び再生を行うインターネットラジオ選局再生モジュール４３、楽曲購入及び試聴曲の再生を司る楽曲購入再生モジュール４４がそれぞれ位置している。
それらインターネットラジオ選局再生モジュール４３、楽曲購入再生モジュール４４の上位にはＸＭＬ（ｅＸｔｅｎｓｉｂｌｅ  Ｍａｒｋｕｐ  Ｌａｎ−ｇｕａｇｅ）ブラウザ５０が位置し、各種サーバからのＸＭＬファイルを解釈し、ディスプレイ１７に対して画面表示を行う。
例えば、ＸＭＬブラウザ５０を介してユーザに選択された楽曲は楽曲購入再生モジュール４４で購入され、ハードディスクコンテンツコントローラ４２を介してハードディスクドライブ２１に書き込まれる。
なおエニィコミュニケータプログラム３７には、エニィライブラリ４７の認証ライブラリ４７Ａが接続されており、当該認証ライブラリ４７Ａによって総合サービスサーバ３４やその他の各種サーバの認証処理を行うようになされている。
さらにエニィコミュニケータプログラム３７の上位には、データベースアクセスモジュール４０、コンテンツデータアクセスモジュール４１及びハードディスクコンテンツコントローラ４２が位置する。
このデータベースアクセスモジュール４０は、ハードディスクドライブ２１に構築された各種データベースにアクセスし、コンテンツデータアクセスモジュール４１はハードディスクドライブ２１に格納されたコンテンツにアクセスし、ハードディスクコンテンツコントローラ４２はハードディスクドライブ２１に格納されたコンテンツを管理するようになされている。
ハードディスクコンテンツコントローラ４２の上位には、ラジオ局ＲＳが放送した楽曲のタイトル及びアーティスト名を表示するための関連情報表示モジュール４５、ラジオ局ＲＳを選局したり当該ラジオ局ＲＳから受信した楽曲のコンテンツをハードディスクドライブ２１に録音するチューナ選局再生／録音モジュール４６が位置している。
例えば、オーディオユーザインタフェース５１を介して選局されたラジオ局ＲＳから受信した楽曲は、コンテンツデータアクセスモジュール４１を介してハードディスクドライブ２１へ書き込まれるようになされている。
関連情報表示モジュール４５は、チューナ選局再生／録音モジュール４６によって現在ラジオ局ＲＳが放送している楽曲のタイトルやアーティスト名を関連情報として関連情報提供サーバＫＳからＨＴＴＰメッセージ３６経由で受信し、これをオーディオユーザインタフェース（ＵＩ）５１を介してディスプレイ１７に表示する。
なおオーディオユーザインタフェース５１を介してディスプレイ１７に表示した関連情報は、エニィライブラリ４７のクリップライブラリ４７Ｂに一時的に記憶することもでき、ユーザからの指示に従って最終的にはデータベースアクセスモジュール４０を介してハードディスクドライブ２１へ記憶されるようになされている。
さらにクライアント端末ＣＴのプログラムモジュールとしては、ＣＤを再生するためのＣＤ再生モジュール４８と、ハードディスクドライブ２１を再生するためのＨＤＤ再生モジュール４９とが含まれており、再生結果をオーディオデータ処理部２４及びスピーカ２５を介して出力する。
（１−８）ポーリング間隔制御シーケンス
次に、関連情報提供サーバＫＳがクライアント端末ＣＴからの楽曲情報の取得要求を受けるタイミングを任意に指定することによりポーリング間隔を制御する場合について、図８及び図９のシーケンスチャートを用いて説明する。
（１−８−１）遅延時間を指定したポーリング間隔制御シーケンス
図８に示すように、ステップＳＰ１においてラジオ局ＲＳは、現在の番組の中で楽曲Ａの放送を開始すると、次のステップＳＰ２へ移る。
ステップＳＰ２においてラジオ局ＲＳは、楽曲Ａの放送を開始したので、当該楽曲Ａの放送開始を関連情報提供サーバＫＳへ通知する。
このときステップＳＰ１１において関連情報提供サーバＫＳは、複数種類の楽曲に関するタイトル、アーティスト名、当該楽曲が収録されているＣＤの名称やＣＤ番号等の楽曲に関連した楽曲情報を楽曲情報データベース９３（図４）にデータベース化して保有しており、ラジオ局ＲＳから通知された当該楽曲Ａに関連した楽曲情報をクライアント端末ＣＴへの提供対象とするため、以前保持していた楽曲情報を楽曲Ａに関連した楽曲情報に更新し、次のステップＳＰ１２へ移る。
ところでステップＳＰ２１においてクライアント端末ＣＴは、ラジオ局ＲＳがステップＳＰ１で放送した楽曲Ａを受信して聴取し、次のステップＳＰ２２でその楽曲Ａに関連したタイトル、アーティスト名等の楽曲情報の取得要求を３０秒間隔で関連情報提供サーバＫＳへ送信することによりポーリングを行い、次のステップＳＰ２３へ移る。
ステップＳＰ１２において関連情報提供サーバＫＳは、複数のクライアント端末ＣＴから送られてくる楽曲情報の取得要求に関するアクセス数を管理しており、当該アクセス数が所定の閾値を超えたか否かを判定する。
ここで否定結果が得られると、このことは関連情報提供サーバＫＳの制御部９０に対する負荷が過大ではなく、また楽曲情報の取得要求が集中してネットワーク上のトラフィックが過多になっている状態でもないことを表しており、このとき関連情報提供サーバＫＳは次のステップＳＰ１３へ移る。
ステップＳＰ１３において関連情報提供サーバＫＳは、制御部９０に対する負荷が過大でもなく、ネットワーク上のトラフィックが過多になっているわけでもないので、クライアント端末ＣＴからの取得要求に応じて、現在提供対象として保持している楽曲Ａの楽曲情報をクライアント端末ＣＴへネットワーク２を介して提供する。
これに対してステップＳＰ１２において肯定結果が得られると、このことは関連情報提供サーバＫＳの制御部９０に対する負荷が過大であって、また楽曲情報の取得要求が集中してネットワーク上のトラフィックが過多になっていることを表しており、このとき関連情報提供サーバＫＳは次のステップＳＰ１４へ移る。
ステップＳＰ１４において関連情報提供サーバＫＳは、現在提供対象として保持している楽曲Ａの楽曲情報をクライアント端末ＣＴへネットワーク２を介して提供すると共に、次にクライアント端末ＣＴが楽曲情報の取得要求を送信する要求タイミングを通常の３０秒間隔とは異なるｎ秒後に指定する。
ステップＳＰ２３においてクライアント端末ＣＴは、楽曲情報を関連情報提供サーバＫＳから取得すると共に、通常の３０秒間隔毎のポーリング間隔ではなく当該ポーリング間隔よりも遅いｎ秒後の要求タイミングで楽曲情報の取得要求を行う。
その後もクライアント端末ＣＴは、関連情報提供サーバＫＳから次の要求タイミングが指定された場合にはｎ秒後の要求タイミングで楽曲情報の取得要求を行い、次の要求タイミングが指定されない場合には通常の３０秒間隔で楽曲情報の取得要求を行う。
このように関連情報提供サーバＫＳは、図９に示すように、複数のクライアント端末ＣＴからの取得要求が集中して制御部９０に対する負荷が過大になったことを認識した場合には、クライアント端末ＣＴが楽曲情報の取得要求を送信する要求タイミングを所定の遅延時間後（ｎ秒後）に設定し、他のクライアント端末ＣＴのポーリング間隔とずらすことにより、ネットワーク上のトラフィックが過多になることを未然に防止し得るようになされている。
すなわち関連情報提供サーバＫＳは、複数のクライアント端末ＣＴからの取得要求が集中して制御部９０に対する負荷が過大になればなるほど、クライアント端末ＣＴが楽曲情報の取得要求を送信する要求タイミングの遅延時間（ｎ秒）を徐々に長くして、制御部９０に対する負荷が一定の基準を超えることがないようにしている。
なお関連情報提供サーバＫＳは、制御部９０に対する負荷が過大になったとき以降はクライアント端末ＣＴの１台１台のクライアント端末ＣＴに対してそれぞれ異なる遅延時間（ｎ秒）を指定しても良く、また制御部９０に対する負荷が過大になったとき以降に取得要求を行った複数のクライアント端末ＣＴに対して同じ遅延時間（ｎ秒）を指定しても良い。
（１−８−２）時刻を指定したポーリング間隔制御シーケンス
図１０に示すように、ステップＳＰ４１においてラジオ局ＲＳは、現在の番組の中で楽曲Ａの放送を開始すると、次のステップＳＰ４２へ移る。
ステップＳＰ４２においてラジオ局ＲＳは、楽曲Ａの放送を開始したので、当該楽曲Ａの放送開始を関連情報提供サーバＫＳへ通知する。
このときステップＳＰ５１において関連情報提供サーバＫＳは、複数種類の楽曲に関連した楽曲情報を楽曲情報データベース９３（図４）にデータベース化して保有しており、ラジオ局ＲＳから通知された当該楽曲Ａに関連した楽曲情報をクライアント端末ＣＴへの提供対象とするため、以前保持していた楽曲情報を楽曲Ａに関連した楽曲情報に更新し、次のステップＳＰ５２へ移る。
ところでステップＳＰ６１においてクライアント端末ＣＴは、ラジオ局ＲＳがステップＳＰ１で放送した楽曲Ａを受信して聴取し、次のステップＳＰ６２でその楽曲Ａに関連したタイトル、アーティスト名等の楽曲情報の取得要求を３０秒間隔で関連情報提供サーバＫＳへ送信することによりポーリングを行い、次のステップＳＰ６３へ移る。
ステップＳＰ５２において関連情報提供サーバＫＳは、複数のクライアント端末ＣＴから送られてくる楽曲情報の取得要求に関するアクセス数を管理しており、当該アクセス数が所定の閾値を超えたか否かを判定する。
ここで否定結果が得られると、このことは関連情報提供サーバＫＳの制御部９０に対する負荷が過大ではなく、また楽曲情報の取得要求が集中してネットワーク上のトラフィックが過多になっている状態でもないことを表しており、このとき関連情報提供サーバＫＳは次のステップＳＰ５３へ移る。
ステップＳＰ５３において関連情報提供サーバＫＳは、制御部９０に対する負荷が過大でもなく、ネットワーク上のトラフィックが過多になっているわけでもないので、クライアント端末ＣＴからの取得要求に応じて、現在提供対象として保持している楽曲Ａの楽曲情報をクライアント端末ＣＴへネットワーク２を介して提供する。
これに対してステップＳＰ５２において肯定結果が得られると、このことは関連情報提供サーバＫＳの制御部９０に対する負荷が過大であって、また楽曲情報の取得要求が集中してネットワーク上のトラフィックが過多になっていることを表しており、このとき関連情報提供サーバＫＳは次のステップＳＰ５４へ移る。
ステップＳＰ５４において関連情報提供サーバＫＳは、現在提供対象として保持している楽曲Ａの楽曲情報をクライアント端末ＣＴへネットワーク２を介して提供すると共に、次にクライアント端末ＣＴが楽曲情報の取得要求を送信する要求タイミングを、通常のポーリング間隔よりも遅い時刻「○○時△△分□□秒」に指定する。
ステップＳＰ６３においてクライアント端末ＣＴは、楽曲情報を関連情報提供サーバＫＳから取得すると共に、関連情報提供サーバＫＳから指定された要求タイミングの時刻「○○時△△分□□秒」になるまで自身のクロックを基に計時し、その時刻「○○時△△分□□秒」になると楽曲情報の取得要求を行う。
その後もクライアント端末ＣＴは、関連情報提供サーバＫＳから次も要求タイミングの時刻が指定された場合にはその時刻になったタイミングで楽曲情報の取得要求を行い、次の要求タイミングの時刻が指定されない場合には通常の３０秒間隔で楽曲情報の取得要求を行う。
このように関連情報提供サーバＫＳは、図１１に示すように、複数のクライアント端末ＣＴからの取得要求が集中して制御部９０に対する負荷が過大になったことを認識した場合には、クライアント端末ＣＴが楽曲情報の取得要求を送信する要求タイミングの時刻を指定し、他のクライアント端末ＣＴのポーリング間隔とずらして分散させることにより、ネットワーク上のトラフィックが過多になることを未然に防止し得るようになされている。
すなわち関連情報提供サーバＫＳは、複数のクライアント端末ＣＴからの取得要求が集中して制御部９０に対する負荷が過大になればなるほど、クライアント端末ＣＴが楽曲情報の取得要求を送信する要求タイミングの時刻を遅くして、制御部９０に対する負荷が一定の基準を超えることがないようにしている。
なお関連情報提供サーバＫＳは、制御部９０に対する負荷が過大になったとき以降はクライアント端末ＣＴの１台１台に対してそれぞれ異なる要求タイミングの時刻を指定しても良く、また制御部９０に対する負荷が過大になったとき以降に取得要求を行った複数のクライアント端末ＣＴに対して同じ要求タイミングの時刻を指定しても良い。
（１−９）第１の実施の形態による動作及び効果
以上の構成において、情報提供システム１の関連情報提供サーバＫＳは、複数のクライアント端末ＣＴからの取得要求が集中しておらず、制御部９０に対する負荷が一定の基準を超えていないときには、クライアント端末ＣＴからの楽曲情報に対する取得要求に応じて当該楽曲情報を当該クライアント端末ＣＴへ提供する。
その後、関連情報提供サーバＫＳは複数のクライアント端末ＣＴからの取得要求が集中して制御部９０に対する負荷が一定の基準を超えたときには、直ちにクライアント端末ＣＴが行う楽曲情報に対する取得要求の要求タイミングを通常のポーリング間隔とずらすための遅延時間指定又は時刻指定を行う。
これにより、関連情報提供サーバＫＳに対して楽曲情報の取得要求を行っている複数のクライアント端末ＣＴの中には、関連情報提供サーバＫＳから遅延時間指定又は時刻指定がされたものと、遅延時間指定又は時刻指定がされていないものとが混在することになり、関連情報提供サーバＫＳに対して楽曲情報の取得要求が同時期に集中することはない。
また関連情報提供サーバＫＳは、クライアント端末ＣＴに対して遅延時間指定又は時刻指定をするだけでよく、その後、複数のクライアント端末ＣＴに対して楽曲情報の提供スケジュールを管理する等の煩雑な処理を行う必要が全く無いので、制御部９０に対して必要以上に負荷をかけることなくネットワーク上のトラフィック過多を防止することができる。
特に、遅延時間指定又は時刻指定がされたクライアント端末ＣＴが複数台あったとしても、個々のクライアント端末ＣＴが遅延時間又は時刻を計時するクロックは完全に同期しているわけでもないため、その複数台のクライアント端末ＣＴが指定された遅延時間後若しくは時刻にそれぞれ一斉に関連情報提供サーバＫＳへアクセスしたとしても、完全に一致したタイミングでアクセスが集中することもない。
このように関連情報提供サーバＫＳは、複数のクライアント端末ＣＴ間の非同期をも考慮に入れた上で遅延時間指定又は時刻指定を行っていることにより、当該遅延時間指定又は時刻指定を行うといった簡易な処理だけで、アクセス集中を回避してネットワーク上のトラフィックが過多になることを確実に防止することができる。
以上の構成によれば、情報提供システム１の関連情報提供サーバＫＳは、複数のクライアント端末ＣＴからの楽曲情報の取得要求がほぼ同時に集中してネットワーク上のトラフィックが過多になることを簡易な方法で防止することができ、当該取得要求を行ったクライアント端末ＣＴに対して楽曲情報を速やかに提供することができる。
（２）第２の実施の形態
次に、第２の実施の形態として、上述した関連情報提供サーバＫＳが、複数のサービスサーバのうちのひとつのサーバにより実現されるサービスシステムについて説明する。
なお、この第２の実施の形態におけるポーリング間隔の制御方法については上述の第１の実施の形態（図８及び図１０）と同様であるので説明を省略する。また、この第２の実施の形態においては、後述する図２３のステップＳＰ１０７８〜ステップＳＰ１０８２についての説明が請求の範囲の記載に対応する部分である。
さらにこの第２の実施の形態における図１２のクライアント端末１００２は上述の第１の実施の形態における図１のクライアント端末ＣＴに対応し、図１２のポータルサーバ１００３は図１のＵＲＬ提供サーバ３に対応し、図１２のラジオ放送情報配信サーバ１００６は図１の関連情報提供サーバＫＳに対応し、図１２のネットワークＮＴ１０００は図１のインターネット２に対応するものである。
さらにこの第２の実施の形態におけるサービスシステムはシングルサインオン機能を有しているものとする。
（２−１）システム構成
図１２において、１０００は全体としてこの第２の実施の形態におけるサービスシステムとしての音楽関連サービス提供システムを示し、この音楽関連サービス提供システム１０００の運営業者と契約しているユーザのクライアント端末１００２と、複数のサービスサーバ（クライアント端末１００２を管理するポータルサーバ１００３と、当該クライアント端末１００２に対して音楽に関する各種サービスを提供する複数のサーバ１００４乃至１００８等）とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなるコンテンツデータとしての音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（２−２）クライアント端末の機能回路ブロック構成
次に、クライアント端末１００２の機能回路ブロックによるハードウェア構成を説明する。図１３に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングとも呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７等にアクセスすることができ、これによりポータルサーバ１００３やその他サーバ１００４乃至１００７等との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７等に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７等に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報（上述の第１の実施の形態における関連情報に相当）を表示させる。
（２−３）ポータルサーバの構成
次に、図１４を用いて認証サーバとしてのポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８等と各種情報を送受信する。
顧客データベース部１０５４には、音楽関連サービス提供システム１０００の運営業者とすでに契約を完了しているユーザのユーザＩＤ（Ｉｄｅｎｔｉｆｉ−ｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおこのページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用ページのページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５、ラジオ放送情報配信サーバ１００６等からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５、ラジオ放送情報配信サーバ１００６等から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５、ラジオ放送情報配信サーバ１００６等に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（２−４）音楽データ配信サーバの機能回路ブロック構成
次に、図１５を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用ページのページ情報等が記憶されている。
因みに音楽データ配信用ページのページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用ページのページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用ページのページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用ページのページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用ページのページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（２−５）物販サーバの機能回路ブロック構成
次に、図１６を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用ページのページ情報等が記憶されている。
因みにパッケージメディア販売用ページのページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用ページのページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用ページのページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用ページのページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用ページのページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（２−６）ラジオ放送情報配信サーバの機能回路ブロック構成
次に、図１７を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用ページのページ情報等が記憶されている。
因みにオンエアリスト情報配信用ページのページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用ページのページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用ページのページ情報を通信制御部１１１２及びネットワークインタフェース１１１３を順次介してクライアント端末１００２に送信する。
その結果、検索部１１１８は、クライアント端末１００２からオンエアリスト情報配信用ページのページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークーインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送清報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（２−７）各サーバの処理概要
次に図１８乃至図２３に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（２−７−１）クライアント端末１００２及びポータルサーバ１００３間のユーザ認証処理手順
まず図１８を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６において、クライアント端末１００２から受信した認証セッションＩＤ情報等の有効期限が切れている等により、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、これらを認証処理部１０５６に送出する。
認証処理部１０５６は、制御部１０５０の制御のもと、ユーザ認証処理として、これら受信したユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもと、ポータル認証結果情報として現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６がクライアント端末１００２に対して発行した認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
認証処理部１０３７は、制御部１０２３の制御のもと、この受信した認証セッションＩＤ情報等を認証情報記憶部１０３８に一時記憶する。
そして制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、この受信した認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、クライアント端末１００２に対して発行していた認証セッションＩＤ情報等の有効期限を延長する。
そしてこのとき制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと、ポータルサーバ１００３から受信した有効期限の延長されている認証セッションＩＤ情報等をその有効期限が延長される前の認証セッションＩＤ情報等に上書きするようにして認証情報記憶部１０３８に一時記憶することにより、上述のステップＳＰ１００４において一時記憶していた認証セッションＩＤ情報等を有効期限の延長された認証セッションＩＤ情報等に更新する。
（２−７−２）クライアント端末１００２及び各サーバ１００４乃至１００６間のユーザ認証処理手順
次に、図１９を用いて、クライアント端末１００２と、音楽データ配信サーバ１００４、物販サーバ１００５及びラジオ放送情報配信サーバ１００６等との間で実行するユーザ認証処理について以下に説明する。
この場合、かかるユーザ認証処理としては、図１８について上述したように、クライアント端末１００２が、ポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用ページのページ情報（他の物販サーバ１００５やラジオ放送情報配信サーバ１００６では、パッケージメディア販売用ページのページ情報やオンエアリスト情報配信用ページのページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信されたサービスセッションＩＤ情報の有効期限がすでに切れていることにより、当該クライアント端末１００２を利用するユーザを正規ユーザであるとは認証することができない場合、クライアント端末１００２からの音楽データ配信用ページのページ情報の取得要求が正当な要求ではないと判断する。
そしてこの場合、制御部１０７０は、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットの発行を要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができない場合、クライアント端末１００２からの認証チケットの発行要求が正当な要求ではないと判断する。
そしてこの場合、制御部１０５０は、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信された認証セッションＩＤ情報の有効期限が未だ切れてはいないために、クライアント端末１００２を利用するユーザを正規ユーザであると認証すると、当該クライアント端末１００２からの認証チケットの発行要求が正当な要求であると判断する。そしてこの場合、制御部１０５０は、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、これらを認証処理部１０５６に送出する。
認証処理部１０５６は、制御部１０５０の制御のもと、これら受信したユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットの発行を要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして続くステップＳＰ１０１８において認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
ここで認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
そして制御部１０５０は、認証処理部１０５６が発行したこの認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもと、ポータルサーバ１００３から受信された有効期限の延長されている認証セッションＩＤ情報等をその有効期限が延長される前の認証セッションＩＤ情報等に上書きするようにして認証情報記憶部１０３８に一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと、認証チケット確認要求信号に応じて、この受信した認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６において、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
認証処理部１０７５は、制御部１０７０の制御のもと、その確認結果情報に応じて、サーバ認証結果情報として現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
そして制御部１０７０は、認証処理部１０７５がクライアント端末１００２に対して発行したこのサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
そして制御部１０２３は、音楽データ配信用ページのページ情報を要求するページ情報取得要求信号を、認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、上述のステップＳＰ１０２２ですでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用ページのページ情報の取得要求が正当な要求であると判断する。
そしてこのとき制御部１０７０は、次のステップＳＰ１０２５に移り、このステップＳＰ１０２５において、ページ情報記憶部１０７６から、ユーザにより取得要求された音楽データ配信用ページのページ情報を読み出すと共に、認証処理部１０７５において、クライアント端末１００２に対して発行していたサービスセッションＩＤ情報等の有効期限を延長させる。
そして制御部１０７０は、そのページ情報記憶部１０７６から読み出した音楽データ配信用ページのページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用ページのページ情報と、有効期限の延長されたサービスセッションＩＤ情報等とをネットワークインタフェース１０３３及び通信制御部１０３２を順次介して受信し、当該受信した音楽データ配信用ページのページ情報をページ情報生成部１０３６に送出すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用ページのページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用ページを表示する。
（２−７−３）音楽関連サービス提供処理
続いて図２０乃至図２３において、図１９について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用ページのページ情報、パッケージメディア販売用ページのページ情報及びオンエアリスト情報配信用ページのページ情報等を利用して音楽データ配信サービス、物販サービス及びラジオ放送情報配信サービスの提供を受ける際の音楽関連サービス提供処理について説明する。
（２−７−３−１）音楽データ配信サービス提供処理手順
まず図２０を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用ページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、この受信したサービスセッションＩＤ情報等と、認証情報記憶部１０７７にすでに一時記憶しているサービスセッションＩＤ情報等とを比較するようにしてユーザ認証処理を実行する。
その結果、制御部１０７０は、認証処理部１０７５によりクライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５によりクライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（２−７−３−２）物販サービス提供処理手順
次に図２１を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用ページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、この受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５によりクライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５によりクライアント端末１００２に対し発行していたサービスセッションＩＤ情報等の有効期限を延長させて、次のステップＳＰ１０４３に移る。
ステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、この受信したサービスセッションＩＤ情報等と、認証情報記憶部１０９７にすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（２−７−３−３）オンエアリスト情報配信サービス提供処理手順
次に図２２を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用ページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、この受信したサービスセッションＩＤ情報等と、認証情報記憶部１１２０にすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対して発行していたサービスセッションＩＤ情報等の有効期限を延長させて、次のステップＳＰ１０６３に移る。
ステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（２−７−３−４）ナウオンエア情報配信サービス提供処理手順
次に図２３を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０においてクライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、これらのうちユーザＩＤ情報及びパスワード情報等を認証処理部１０５６に送出する。
認証処理部１０５６は、制御部１０５０の制御のもと、これら受信したユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そしてこのとき制御部１０５０は、次のステップＳＰ１０７２に移り、このステップＳＰ１０７２において、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索し、リスト化して読み出す。
そして制御部１０５０は、周波数情報記憶部１０５８からリスト化して読み出した周波数情報、ラジオ局名及びコールサインを、上述のステップＳＰ１０７１において認証処理部１０５６がクライアント端末１００２に対して発行した認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
認証処理部１０３７は、制御部１０２３の制御のもと、この受信した認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５にそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
そして音声制御部１０２６は、チューナ部１０３１から与えられる音声データをアナログ音声信号に変換してスピーカ１０２７に送出することにより当該スピーカ１０２７から、選択されたラジオ番組の音声を出力させる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、この受信した認証セッションＩＤ情報等と、認証情報記憶部１０５７にすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと、この受信した有効期限の延長されている認証セッションＩＤ情報等をその有効期限が延長される前の認証セッションＩＤ情報等に上書きするようにして認証情報記憶部１０３８に一時記憶することにより、当該認証情報記憶部１０３８にすでに一時記憶している認証セッションＩＤ情報等の内容を更新する。
またラジオ放送表示制御部１０３９は、制御部１０２３の制御のもと、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもと、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図１９について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図１９について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもと、再び記憶媒体１０２９等に一時記憶していたＵＲＬ情報に従ってナウオンエア情報要求信号を、すでにラジオ放送情報配信サーバ１００６から受信して認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
認証処理部１１１５は、制御部１１１０の制御のもと、この受信したサービスセッションＩＤ情報等と、認証情報記憶部１１２０にすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そしてこのとき制御部１１１０は、認証処理部１１１５により、クライアント端末１００２を利用するユーザが正規ユーザであると認証されると、当該認証処理部１１１５がクライアント端末１００２に対して発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
以上の構成によれば、この第２の実施の形態によるコンテンツ販売システムにおいても、上述の第１の実施の形態と同様の効果を得ることができる。
ところで上述の第１の実施の形態で説明したクライアント端末ＣＴのプログラムモジュール（図７）のうち、ＨＴＴＰメッセージプログラム３６及びコミュニケータプログラム３７は、この第２の実施の形態で説明したクライアント端末１００２の通信制御部１０３２（図１３）と同様の機能を実現可能なプログラムモジュールである。
またコンテンツ再生モジュール３８（図７）は、エンコーダ／デコーダ部１０３４（図１３）と同様の機能を実現可能なプログラムモジュールである。
さらに著作権保護管理モジュール３９（図７）は、著作権管理部１０３５（図１３）と同様の機能を実現可能なプログラムモジュールである。
さらにインターネットラジオ選局再生モジュール４３（図７）は、制御部１０２３及び音声制御部１０２６（図１３）と同様の機能を実現可能なプログラムモジュールである。
さらに楽曲購入再生モジュール４４（図７）は、制御部１０２３及び音声制御部１０２６（図１３）と同様の機能を実現可能なプログラムモジュールである。
さらにＸＭＬブラウザ５０（図７）は、入力処理部１０２１及びページ情報生成部１０３６（図１３）と同様の機能を実現可能なプログラムモジュールである。
さらにハードディスクコンテンツコントローラ４２及びデータベースアクセスモジュール４０並びにコンテンツデータアクセスモジュール４１（図７）は、制御部１０２３（図１３）と同様の機能を実現可能なプログラムモジュールである。
さらにライブラリ４７の認証ライブラリ４７Ａ（図７）は、認証処理部１０３７及び認証情報記憶部１０３８（図１３）と同様の機能を実現可能なプログラムモジュールである。
さらにライブラリ４７のクリップライブラリ４７Ｂ（図７）は、制御部１０２３（図１３）と同様の機能を実現可能なプログラムモジュールである。
さらに関連情報表示モジュール４５（図７）は、ラジオ放送表示制御部１０３９（図１３）と同様の機能を実現可能なプログラムモジュールである。
さらにチューナ選局再生／録音モジュール４６（図７）は、制御部１０２３及び音声制御部１０２６並びにチューナ部１０３１（図１３）と同様の機能を実現可能なプログラムモジュールである。
さらにオーディオユーザインタフェース５１（図７）は、入力処理部１０２１及び制御部１０２３並びに表示制御部１０２４（図１３）と同様の機能を実現可能なプログラムモジュールである。
さらにＣＤ再生モジュール４８（図７）は、音声制御部１０２６及び外部記録媒体記録再生部１０２８（図１３）と同様の機能を実現可能なプログラムモジュールである。
さらにＨＤＤ再生モジュール４９（図７）は、制御部１０２３及び音声制御部１０２６（図１３）と同様の機能を実現可能なプログラムモジュールである。
すなわち、上述の第１の実施の形態におけるハードウェア回路ブロック構成の端末装置４２でも、ＣＰＵ１１が各種プログラムモジュールを使って、この第２の実施の形態における機能回路ブロック構成のクライアント端末１００２と同様の処理を実行することができる。
また、上述の第１の実施の形態におけるＵＲＬ提供サーバ３（図３）では、上述の第２の実施の形態におけるポータルサーバ１００３（図１４）の機能に応じて、ＲＯＭ８１等に記憶させる各種プログラムを適宜選定することにより、制御部８０が、当該各種プログラムに従ってポータルサーバ１００３の制御部１０５０、通信制御部１０５２、認証処理部１０５６と同様に機能すると共に、ＲＯＭ８１、ＲＡＭ８２及びＵＲＬ蓄積ＤＢ８３を、当該ポータルサーバ１００３の顧客データベース部１０５４、ページ情報記憶部１０５５、認証情報記憶部１０５７、周波数情報記憶部１０５８及びＵＲＬ記憶部１０５９と同様に用いることができる。
さらに上述の第１の実施の形態における関連情報提供サーバＫＳ（図４）では、上述の第２の実施の形態におけるラジオ放送情報配信サーバ１００６（図１７）の機能に応じて、ＲＯＭ９１等に記憶させる各種プログラムを適宜選定することにより、制御部９０が、当該各種プログラムに従ってラジオ放送情報配信サーバ１００６の制御部１１１０、通信制御部１１１２、認証処理部１１１５、及び検索部１１１８と同様に機能すると共に、ＲＯＭ９１、ＲＡＭ９２、楽曲情報ＤＢ９３及び番組情報ＤＢ９４を、当該ラジオ放送情報配信サーバ１００６の顧客データベース部１１１４、ページ情報記憶部１１１６、オンエアリスト情報記憶部１１１７、ナウオンエア情報記憶部１１１９、及び認証情報記憶部１１２０と同様に用いることができる。
（３）他の実施の形態
なお上述の実施の形態において関連情報提供サーバＫＳは、クライアント端末ＣＴからのアクセス数に基づいて制御部９０に対する負荷が過大であるか否かを判定するようにした場合について述べたが、本発明はこれに限らず、例えば制御部９０のＣＰＵ使用率を常時監視しておき、当該ＣＰＵ使用率がｍパーセントを超えたときに制御部９０に対する負荷が過大であると判定するようにしても良い。
また上述の形態においては、関連情報提供サーバＫＳが制御部９０に対す負荷が過大であると判定したときにはクライアント端末ＣＴの要求タイミングを遅延させる遅延時間指定を行うようにした場合について述べたが、本発明はこれに限らず、要求タイミングを少し早める時間指定を行うようにしても良い。要は、他のクライアント端末ＣＴからの楽曲情報の取得要求とずらすことができれば、発明の実施の形態と同様の効果を得ることができる。
さらに上述の実施の形態においては、通常のポーリング間隔よりも遅い任意の遅延時間や時刻を指定するようにした場合について述べたが、本発明はこれに限らず、ステップＳＰ１１やステップＳＰ５１のように、番組の中で楽曲情報が切り換わるときに提供対象の楽曲情報を更新するタイミングでクライアント端末ＣＴが次の取得要求を行うように遅延時間や時刻を指定するようにしても良い。
この場合、クライアント端末ＣＴは、同じ楽曲情報を何度も取得する無駄な処理を低減し、楽曲情報が更新されるときだけ当該楽曲情報の取得要求を行うことになるので、効率よく楽曲情報を取得することができると共に、関連情報提供サーバＫＳに対するアクセス数を減少させてネットワーク上のトラフィックが過多になることを未然に防止することができる。
さらに上述の実施の形態においては、楽曲に関連する楽曲情報を関連情報として関連情報提供サーバＫＳからクライアント端末ＣＴへ提供するようにした場合について述べたが、本発明はこれに限らず、番組に関連する出演者、ＤＪ名、ジャンル等の番組情報を番組情報データベース９４から探し出し、これを関連情報としてクライアント端末ＣＴへ提供するようにしても良い。
さらに上述の実施の形態においては、ラジオ局ＲＳと関連情報提供サーバＫＳとが別に設けられているようにした場合について述べたが、本発明はこれに限らず、ラジオ局ＲＳ自体が関連情報提供サーバＫＳを所有し、ラジオ局ＲＳが関連情報提供サーバＫＳを介して関連情報をクライアント端末ＣＴへ提供するようにしても良い。
さらに上述の実施の形態においては、関連情報提供サーバＫＳの制御部９０がＲＯＭ９１に予め格納された通信制御プログラムをＲＡＭ９２上に展開し、当該通信制御プログラムに従って上述のポーリング間隔制御シーケンスを実行するようにした場合について述べたが、本発明はこれに限らず、通信制御プログラムが格納されたプログラム格納媒体を関連情報提供サーバＫＳにインストールすることによりポーリング間隔制御シーケンスを実行するようにしても良い。
さらに上述の実施の形態においては、クライアント端末ＣＴのＣＰＵ１１がＲＯＭ１３に予め格納された通信制御プログラムをＲＡＭ２０上に展開し、当該通信制御プログラムに従って上述のポーリング間隔制御シーケンスを実行するようにした場合について述べたが、本発明はこれに限らず、通信制御プログラムが格納されたプログラム格納媒体をクライアント端末ＣＴにインストールすることによりポーリング間隔制御シーケンスを実行するようにしても良い。
さらに上述の第１の実施の形態においては、本発明のサーバとしての関連情報提供サーバＫＳを、要求情報受信手段としてのデータ通信処理部９５、制御手段としての制御部９０及びデータ通信処理部９５によって構成するようにした場合について述べたが、本発明はこれに限らず、その他種々の回路構成でサーバを構成するようにしても良い。
さらに上述の第１の実施の形態においては、本発明の外部装置及び通信装置としてのクライアント端末ＣＴを、要求情報送信手段としてのＣＰＵ１１、通信処理部２２及びネットワークインタフェース２３、タイミング指定情報受信手段としての通信処理部２２及びネットワークインタフェース２３、タイミング決定手段としてのＣＰＵ１１によって構成するようにした場合について述べたが、本発明はこれに限らず、その他種々の回路構成で外部装置を構成するようにしても良い。
さらに上述の第２の実施の形態においては、本発明のサーバとしてのラジオ放送情報配信サーバ１００６を、要求情報受信手段としての通信制御部１１１５、制御手段としての制御部１１１０及び通信制御部１１１２によって構成するようにした場合について述べたが、本発明はこれに限らず、その他種々の回路構成でサーバを構成するようにしても良い。
さらに上述の第２の実施の形態においては、本発明の外部装置及び通信装置としてのクライアント端末１００２を、要求情報送信手段としての制御部１０２３及び通信制御部１０３２、タイミング指定情報受信手段としての通信制御部１０３２、タイミング決定手段としての制御部１０２３によって構成するようにした場合について述べたが、本発明はこれに限らず、その他種々の回路構成で外部装置を構成するようにしても良い。
さらに上述の実施の形態においては、クライアント端末１００２やＣＴが受信可能な放送としてラジオ局から放送されるラジオ放送を適用したが、これに限らず、クライアント端末１００２やＣＴがインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
さらに上述の実施の形態においては、ハードウェア回路ブロック、機能回路ブロック及びプログラムモジュールをクライアント端末１００２やＣＴに実装した場合について述べたが、本発明はこれに限らず、これらを携帯電話機やパーソナルコンピュータ等、クライアント端末１００２やＣＴ以外の種々の端末に実装するようにしてもよく、このハードウェア回路ブロック、機能回路ブロック及びプログラムモジュールを実装した端末であれば、上述したクライアント端末１００２やＣＴと同様の処理を実現することができる。
産業上の利用の可能性
本発明の通信方法は、例えばデータを要求するデータ要求情報がほぼ同時に集中することを回避してネットワーク上のトラフィック過多を防止する用途に適用することができる。
【図１】
2005006606.tif 000003
【図２】
2005006606.tif 000004
【図３】
2005006606.tif 000005
【図４】
2005006606.tif 000006
【図５】
2005006606.tif 000007
【図６】
2005006606.tif 000008
【図７】
2005006606.tif 000009
【図８】
2005006606.tif 000010
【図９】
2005006606.tif 000011
【図１０】
2005006606.tif 000012
【図１１】
2005006606.tif 000013
【図１２】
2005006606.tif 000014
【図１３】
2005006606.tif 000015
【図１４】
2005006606.tif 000016
【図１５】
2005006606.tif 000017
【図１６】
2005006606.tif 000018
【図１７】
2005006606.tif 000019
【図１８】
2005006606.tif 000020
【図１９】
2005006606.tif 000021
【図２０】
2005006606.tif 000022
【図２１】
2005006606.tif 000023
【図２２】
2005006606.tif 000024
【図２３】
2005006606.tif 000025
【国際調査報告】
2005006606.tif 000026
2005006606.tif 000027
2005006606.tif 000028
2005006606.tif 000029